(57)【要約】      （修正有）【課題】冷蔵庫、温蔵庫、保冷器、保温器、炊飯器、魔法瓶等の容器を一体化し高機能にする。【解決手段】底面２１が２層で側面が内筒と中筒、外筒２の３筒構造の銅、ステンレスの容器で、この内筒と中筒間と底面２１の２層間をヒートパイプ化し、中筒と外筒間を真空にし、容器内の熱の出し入れにヒートパイプを通して行う。【選択図】図２
2011240090.tif 000002
【特許請求の範囲】
【請求項１】
底面が一層（２１）または２層（２１と２２）で側面が内筒（１８）中筒（１９）外筒（２０）の３筒構造の銅、ステンレス等の容器で内筒と中筒間と底面の２層間をヒートパイプ（ＨＰ）化する。更にその外側の中筒と外筒間を真空にする。この容器の頭蓋は内側から順に、内ＨＰ室（４）、真空室（３）、外ＨＰ室（２）、ペルチエ効果等の冷却器室や冷蔵庫内（１）等、底蓋では冷却器室を加熱器室（６）に代えただけで他は同じ四室の積層構造にする。更にこれら頭、底蓋の真空室（３と８）をサンドウィッチ状に挟んだ内（４と９）と外（２と７）ＨＰ室同士をそれぞれ両真空室（３と８）に弁付きパイプ（１２と１３）を貫通させて結ぶ。これらの蓋の代わりに真空室だけを有する蓋を別製して休止している方の蓋の代わりにそれを勘合させてもよい。（図１参照）
【請求項２】
ＨＰ室（１０）の代わりに（Ａ）角または円筒形状のパイプ（１４）を用いて底の１層（２１）下と内筒（１８）に沿つて蚊取り線香状やコイル状（１４）に捲いて例えば頭、尾を結んでループＨＰ化する。そしてその外筒（２０）までを真空にし中筒（１９）を省略する。（図３参照）（Ｂ）またはこのパイプのギャツプ間を溶接（１６）しあつてその外側を真空にし内筒（１８）と中筒（１９）を省略する。（図２参照）（Ｃ）加熱を電気ヒーター等の代りに電磁誘導加熱器（２５）を採用するには底蓋の連結用パイプ（１３）の径を拡げた形にして、そこに樹脂盤（２４）を充填し、そこを透して内ＨＰ（２３）を加熱すれば外ＨＰ室（７）を省略出来る。（図２と３参照）この様にして容器内の熱の出し入れにこれら両ＨＰを通せば熱伝達に優れ、均一加熱が出来、真空に囲まれて熱損失も最小に出来る一体型の容器が得られる。即ち冷蔵庫にするには頭蓋の、温蔵庫にするには底蓋の温調付きの電源を入れ、保冷と保温をするには同様にした上で目標温度で電源を切り、両方の弁を閉めれば外出の時に長時間に亘り魔法瓶の働きをさせる事が出来る。炊飯器ではこの均一急速加熱と保温機能でおいしい御飯を省エネしながら炊く事が出来る。尚ここで述べた冷却器や加熱器の代わりに冷蔵庫に収納したり、ガスレンジに架けた後、保冷−保温等をしても良い。容器内の材料は頭蓋を外すかヒンジで開いて挿入するかまたは取り出す。
選択図      図２
【発明の詳細な説明】
【発明の詳細な説明】
【０００１】「産業上の利用分野」
冷蔵庫、温蔵庫、保冷器、保温器、炊飯器、魔法瓶等に関するものである。
【０００２】「従来の技術技術」
上述した従来の製品群は総てそれぞれ独立した製品であつた。
【発明が解決しようとする課題】
【０００３】上述した従来の製品群を一体化と高機能にする。
【課題を解決するための手段】
【０００４】容器の中筒と外筒間を真空にして容器の側面の熱絶縁を完全にし、熱伝導を高速にする為に内筒と中筒と底の２層間をＨＰ化する。その頭蓋は内から内ＨＰ室、真空室，外ＨＰ室、冷却器室と４室を多重に重ねる。底蓋でもこの冷却器室を加熱器室に代えただけとする。弁付のパイプを真空室を貫通させて内、外ＨＰ室を結び、真空に囲まれた容器内の熱の出し入れはこれらＨＰを通すので熱絶縁と熱伝導に優れた容器となる。角または円形のパイプを使用する場合には底は２ケの蚊取り線香を中心で連結し折り返す形にし、側面は内筒に沿つてコイル状に捲いてループＨＰとしパイプのギャツプ間を溶接しあえば内筒、中筒、底蓋の外ＨＰ室も省略出来て大きなコストダウンとなる。
【０００５】「作用」
底面が一層（２１）または２層（２１と２２）で側面が内筒（１８）中筒（１９）外筒（２０）の３筒構造の銅、ステンレス等の筒容器で２筒（１８と１９）と２層（２１と２２）間をヒートパイプに、中筒と外筒の２筒（１９と２０）間を真空にする。その頭蓋で容器の内側から順に、このＨＰの両側壁の各上端と下端に一部を勘合する筒状脚の勘合部（１１）がある内ＨＰ室（４と９）とそれに接する真空室（３）と外ＨＰ室（２）と更にペルチエ効果等の冷却器室（１）を、底蓋は冷却器室を加熱器室（６）に代えただけの四室の積層構造にする。これら頭、底蓋の真空室（３と８）をサンドウィッチ状に挟んだ内（４と９）と外（２と７）のＨＰ室同士を例えば蓋の中央付近で両外ＨＰ室（２と７）から両内ＨＰ室（４と９）へ両真空室（３と８）を貫通するパイプ（１２と１３）で結び、その外側口に例えば磁性の有る弁（１７）等をそれぞれ設け、それら両室（１と６）側から強力な磁石を反転させる方法等で弁を吸引、反発させてそれぞれを開閉させる。そして蓋の加熱器あるいは冷却器のいずれか休止している方の弁を閉める。これらの蓋の代わりに真空室だけを有する蓋を別製して休止している蓋の代わりにそれを勘合させてもよい。この様にして完全に真空で囲まれた容器内の熱の出入は頭、底の蓋の真空室を挟んだ内、外ＨＰを通して行なう。［図１参照）上述のＨＰの代わりに（Ａ）角または円筒形状のパイプ（１４）を用いて底の１層（２１）下に２ケの蚊取り線香を中心で連結し折り返す形（２３）に、内筒（１８）に沿つてコイル状（１４）に捲いて頭、尾を結んだループＨＰを設け、その外筒（２０）までを真空にして筒（１９）を省略する。（図３参照）（Ｂ）またはこのパイプのギャツプ間を溶接（１６）しあつてその外側を真空にし内筒（１８）と中筒（１９）を省略すると大きなコストダウンとなる。（図２参照）そして適当な箇所にはセラミツク等のスペーサー（１５）を装着させてこのＨＰを固定する。（Ｃ）加熱を電気ヒーター等の代りに電磁誘導加熱器（２５）を採用すると底蓋で連結用パイプ（１３）の径を拡げた形にして、そこに樹脂盤（２４）を充填し、そこを透して内ＨＰ（２３）を加熱すれば外ＨＰ室（７）も省略出来て更に経済的な容器となる。冷蔵庫の場合にはこのまま頭蓋を冷却すれば良い。（図３参照）この様にして容器内の熱の出し入れにこれら両ＨＰを通すと熱伝達に優れ、真空に囲まれて熱損失を最小に出来る一体型の容器が得られる。即ち冷蔵庫にするには頭蓋の、温蔵庫にするには底蓋の温調付きの電源を入れ、保冷と温蔵をするには同様にした上で目標温度で電源を切り、両方の弁を閉めれば外出の時に長時間に亘り魔法瓶の様に保冷、保温をする事が出来る。炊飯器では急速、均一加熱とこの保温機能でおいしい御飯を省エネしながら炊く事が出来る。尚ここで述べた冷却器や加熱器の代わりに冷蔵庫に収納したり、ガスレンジに架けて取り出し保冷−保温等をしても良い。
【０００６】［効果］
上述の各種の容器を一つの容器に一体化し機能に優れ、経済的な容器が得られた。
【図面の簡単な説明】
【０００７】
【図１】図１は本案の内、中筒間をＨＰ化し、中、外筒間を真空にし、両蓋の真空室を内外ＨＰ室で挟みそれらを弁付きパイプで結び容器内の熱の出入口とした容器の縦断面の基本図を示す。
【図２】図２はパイプを２ケの蚊取り線香の中心で連結し折り返しの形にして、内筒に沿つてコイル状に巻き、頭、尾を結んでループＨＰにし、更にパイプのギャツプ間を溶接しあつて内、中筒を省略し、加熱に電磁誘導加熱器器を用いた容器の縦断面図を示す。
【図３】図３は図２でループＨＰを疎に捲いた場合の容器の縦断面図を示す。
【符号の説明】
【０００８】１  頭蓋の冷却器室    ２  同外ＨＰ室    ３  同真空室    ４  同内ＨＰ室
５  容器の側壁真空筒  ６  底蓋の加熱器室  ７  同外ＨＰ室  ８  同真空室
９  同内ＨＰ室  １０  容器の側壁ＨＰ
１１  頭、底蓋の内ＨＰと側壁ＨＰとの勘合部
１２、１３  頭、底蓋の内、外ＨＰ室の連結パイプ  １４  コイル状ループＨＰ
１５  スペーサー  １６  パイブのギャツプ間の溶接部  １７弁  １８  内筒
１９  中筒  ２０  外筒  ２１  底面上層  ２２  同下層  ２３  蚊取り線香状ＨＰ
２４  樹脂盤  ２５  電磁誘導加熱器室
【図１】
2011240090.tif 000003
【図２】
2011240090.tif 000004
【図３】
2011240090.tif 000005